(57)【要約】      （修正有）【課題】ページごとの印刷物の精細な検査が可能で、不良印刷物を検出し排除して高品質な印刷が行える検査装置を提供する。【解決手段】用紙上に印刷された所定のページごとに異なる又は、固定の印刷文字を認識デコードして文字コードに変換し、印刷すべき文字コードと比較照合して良否判定を行うと共に、認識デコードする際に前もって認識率あるいは認識強度などの閾値を検査装置に設定し、カメラから読み取った文字などの画像データの認識デコードで指定された閾値以外であれば読取り不能コードを出力し、文字自身あるいは文字周辺に汚れ、カスレがあって文字化けした文字、バーコード、図形を不良として排除することができる。【選択図】図１
2006079571.tif 000002
【特許請求の範囲】
【請求項１】
プリンタ装置あるいは印刷装置においてページごとに異なる印刷データ又はページごとに固定の印刷データで順次高速に印刷された通常文字、バーコード、図形等をラインセンサカメラまたはエリアセンサカメラで読み取り認識デコードして通常の文字コードに変換する手段と、読み取り変換された文字コードと前もって取得した、又は印刷後に取得した印刷すべき文字コードとを比較照合して良否判定する手段と、良否判定結果であるログデータを格納し不良ページを簡単に検索する手段と、検出された不良ページにマーキングあるいは不良ページをリジェクトする手段を有する検査装置。
【請求項２】
前記の検査装置においてページ単位で印刷された印刷データをラインセンサカメラ又はエリアセンサカメラで読み取った画像データから必要な部分を抜き取り文字認識デコードするエリアを特定することにより全画像データのメモリ量を使用しないで必要最小限のメモリ量に変換し、文字認識処理を施す処理時間を低減して文字認識処理を高速化できる手段を有する検査装置。
【請求項３】
前記の検査装置においてページ単位で指定された検査エリア内で本来印刷されるべき文字、バーコード、図形等の印刷位置以外の白部分範囲の検査エリアを指定し印刷されるべき以外の場所を検査することにより印刷不良である指定されたサイズ以上の汚れを検出できる手段を有する検査装置。
【請求項４】
前記の検査装置においてページ単位で読み取った文字、バーコード、図形等の認識において、その読み取った文字を何かの文字コードに変換するのではなく、認識率あるいは認識強度に閾値を設け、指定された認識率あるいは認識強度以外では認識不能であるコードを出力する手段を有する検査装置。
【請求項５】
前記の検査装置において印刷装置あるいはプリンタ装置にて搬送される用紙上のページ単位基準マークをカメラで読み取り、その基準マーク位置をページ単位で計測し、本来の位置からの変動量である用紙蛇行量を算出して認識すべき文字、バーコード、図形等の位置を計測した蛇行量分を移動させて正確な読み取り位置を自動的に補正する手段を有する検査装置。
【請求項６】
前記の検査装置において所定のページ単位で印刷されるべき文字、バーコード、図形等の位置および印刷用紙上の絵柄を前もって特定、登録することにより実際の印刷時のプリンタ装置への用紙のセット間違い、印刷データ自体の人間によるセット違いなどを検出する手段を有する検査装置。
【発明の詳細な説明】
【技術分野】
【０００１】  本発明は、レーザー方式ならびにインクジェット方式により、印刷用紙上にページ単位で異なるデータまたは固定データを順次高速に印刷するプリンタ装置の印刷照合検査に関する。
【背景技術】
【０００２】  数字、ひらがな、カタカナ、英語、漢字などの文字ならびに１次元、２次元バーコード、登録された図形等をレーザー方式あるいはインクジェット方式によりページごとに順次高速に印刷する業務が増加している。その場合レーザー方式あるいはインクジェット方式特有の欠陥があり、汚れ、かすれ、文字化け、プリンタ装置の不具合又は人間がプリンタ装置にセットする印刷用紙あるいは印刷データのセット違いなどにより本来印刷すべき印刷データとは異なるデータが印刷されるなどの不良印刷物を大量に作成して業務効率を低下させ、信用の失墜につながる要因になっている。レーザー方式は白ぬけ（カスレ）、インクジェット方式はインクの引きずりによる汚れを発生させやすい欠陥を持っている。通常使用されているバーコードスキャナおよびＯＣＲスキャナなどは単純に読み取り認識デコードして通常の文字コードに変換するのみで印刷上の汚れ、カスレなどがあり文字化けしても読み取りを優先するため多少の汚れ、カスレでも読み取ってしまい本来の印刷品質の検査はほとんど検査されていないのである。【０００３】  印刷用紙は類似する印刷絵柄も多く人間が目視で判断する場合は間違いも多く発生する、異なる印刷用紙をプリンタ装置にセットして印刷した場合あるいは印刷データを間違えてセットした場合も印刷終了時の抜き取りによる目視検査で発見できる程度であり、印刷した用紙は本来の印刷用紙とは異なる、また本来の印刷データとは異なるので、その印刷した用紙を捨てざるを得ないなど印刷時間、用紙の無駄が多々発生し印刷コストの増加と資源の無駄が発生する。
【発明の開示】
【発明が解決しようとする課題】
【０００４】  印刷装置の印刷速度は７０ｍ／分から３００ｍ／分位と高速であり、印刷中に不良印刷を人間が目視で発見することは不可能である。また印刷後にページ単位で人間が目視で検査するには膨大な時間と工数が必要であり、業務効率の低下とコストの増加になる。本発明の目的はページごとの印刷物の精細な検査が可能で、不良印刷物を検出し排除して高品質な印刷が行える検査装置の提供である。
【課題を解決するための手段】
【０００５】  前記課題を解決するために、用紙上に印刷されたバーコードあるいは文字を認識デコードして文字コードに変換する場合は印刷密度に合わせてカメラで等倍、２倍または整数倍の高分解能で読み取る。理由として、レーザー方式またはインクジェット方式のデジタルプリンタ装置は１ドットで印刷することもあり、印刷物の印刷密度とカメラの読み取り分解能が同じ場合は、プリンタ装置の状態により１ドット抜ける場合が多くカメラの読み取り分解能を２倍または整数倍で読み取らないと文字がかすれた状態となり精細な検査ができないためである。カメラからの読み取り画像データは通常１ドットあたり８ビットなどのグレースケールと呼ばれる多値データが多く使用されるためページ単位の画像データをメモリに書き込み展開すると膨大なメモリ量になる。そのため通常行われている全画像データメモリの中から文字認識するフィールドと呼ばれる特定位置を探すのではなく、文字認識すべき特定されたメモリ上の位置のみを抽出することにより、扱うメモリ量を大幅に低減して文字認識処理速度の高速化を図るものである。【０００６】  次に前記の文字認識デコードする際に通常のバーコードスキャナおよびＯＣＲスキャナでは読み取りを優先するので文字自身あるいは文字周辺に多少の汚れ、カスレがあっても読み取って何かのコードに変換されるため、本来の印刷品質の検査にはならないのである。本検査装置は文字認識デコードする際に前もって認識率あるいは認識強度などの閾値を設定し、その指定された閾値から外れた場合は読み取った文字に対して読み取りが不能であるとのコード、例えば？コードなどを出力することにより、印刷された文字、バーコード、図形などの認識デコードにおいて何かの文字または図形には近いが、あやしい文字あるいは図形を排除することにより検査精度の向上を図ることができる。【０００７】  次に１次元バーコード、２次元バーコード、登録された図形等および通常文字を認識デコードする際に文字あたりの認識処理時間はパソコンまたは専用処理装置により制限がある。そのため印刷装置の印刷速度との整合性を図るために、その印刷速度に対応する検査装置を複数台持ち、カメラからのイメージ画像データをページ単位で複数台の検査装置に順次分配して並列処理を行うことにより印刷装置の印刷速度に影響されないで検査することができる。【０００８】  次に印刷装置あるいはプリンタ装置では連続用紙で印刷する場合が多く、用紙搬送中に印刷される印刷位置は用紙の蛇行などで常に同じではなく用紙上の印刷位置は上下左右ともに変動している。通常はカメラを固定して印刷物を読み取るので用紙が蛇行すると印刷物の認識すべきフィールドと呼ばれる位置も同様に一定の位置ではなく上下左右に変動することになる。この変動量が大きくなると本来カメラ固定で指定したフィールド位置から読み取るべき文字、バーコード、図形等が外れて読み取ることができなくなるため用紙搬送中にページ単位の基準マークをカメラで読み取り本来の位置とのズレ量を計測し、つまり上下左右の変動量を算出して、カメラ画像データのフィールド指定位置をその変動量を移動、つまりＸＹオフセットすることにより用紙蛇行があっても正確な読み取り位置を���定できるので検査精度の向上を図ることができる。【０００９】  本発明の特長は用紙上に印刷された所定のページごとに異なる又は、固定の印刷文字を認識デコードして文字コードに変換し、印刷すべき文字コードと比較照合して良否判定を行うとともに、認識デコードする際に前もって認識率あるいは認識強度などの閾値を検査装置に設定し、カメラから読み取った文字などの画像データの認識デコードで指定された閾値以外であれば読み取り不能コードを出力し、文字自身あるいは文字周辺に汚れ、カスレがあって文字化けした文字、バーコード、図形を不良として排除することができる検査装置である。【００１０】  また、可変データおよび固定データにかかわらずデジタル方式のプリンタ装置あるいはオフセット印刷、グラビア印刷などの印刷方式にかかわらず検査が可能である。検査装置での検査結果はログとしてサーバーＰＣに転送し、印刷終了後にそのログファイルを確認すれば印刷結果の良否判定を簡単に行うことができ、不良ページの除去も簡単に行える。また、検査装置が印刷不良を検出した時にプリンタ装置に停止命令を出力して印刷を中止してリアルタイムで不良検査を行える特長を持っている。さらに印刷用紙の絵柄フォーマットを事前に登録することにより実際に印刷を行う際にセットした印刷用紙と事前に登録した印刷用紙とを比較照合して異なった用紙の場合は警報を鳴らすなどしてオペレータに知らせ用紙セットミスおよび印刷データセットミスを未然に防止する特長を持った検査装置である。
【発明の効果】
【００１１】  本発明のプリンタ印刷照合検査装置によれば、ページ単位の印刷物について印刷結果の精細な検査が可能となり、また不良印刷物をほぼ完全に特定、除去でき、正確で高品質な印刷が高速に行える信頼性の高いプリンタ装置を提供することができる。
【発明を実施するための最良の形態】
【００１２】  本発明のプリンタ印刷照合検査装置の一実施の形態を、図１〜図５を参照して説明する。本実施の形態においては、例えば電話、電気、ガスなどの公共料金の請求明細書、金融機関の各種個人向け通知書類等の様な送付先ごとに、即ちページ単位で印刷データが異なるデータをレーザー方式またはインクジェット方式のプリンタ装置で印刷する様な印刷物に対して、その印刷状態を検査し、印刷結果が本来印刷すべき印刷内容と合致しているかの検査を行う検査装置について説明する。図１は検査装置の全体の基本原理を示す図である。ラインセンサカメラまたはエリアセンサカメラ１０。ディストリビュータ１５。通常文字および１次元バーコード、２次元バーコード、図形等の認識デコーダ２０。プリンタ装置が本来印刷すべき文字コードとカメラから読み取った画像データを認識デコードして得られた通常の文字コードと比較照合し良否判定を行う文字認識エンジン３０。認識デコーダに対して認識率または認識強度を閾値として転送するパラメータ４０。文字認識エンジンのパラメータならびに各々の文字認識エンジンからのページ単位のログデータを管理するサーバーＰＣ５０。プリンタ装置が本来ページ単位で印刷すべき文字コードデータを検査前に前取り、または印刷後に取得するための制御装置６０。ページ単位で可変あるいは固定データを印刷するプリンタ装置７０を有する。また、サーバーＰＣ５０に格納されたログデータをイーサーネットなどの通信を介して、あるいはフロッピーなどのメディアにて転送するための制御装置９０。検査中に発見した不良ページを特定してそのページをリジェクトまたはマーキングするための制御装置８０を有する。【００１３】  次に図２はカメラからの画像データを制御するためのディストリビュータと呼ぶ制御装置の基本構成図および接続構成図である。このディストリビュータはカメラ画像データから指定された文字認識フィールドを特定してメモリ量を大幅に低減するとともに各々の文字認識エンジンにページ単位で低減された画像データを分配する機能を有するものである。プリンタ装置の印刷密度はプリンタ装置により各々特定されており、例えば２４０ｄｐｉなどの分解能で印刷されているとすればカメラの読み取り分解能を等倍または２倍の４８０ｄｐｉ、４倍の９６０ｄｐｉなどの分解能で読み取るカメラユニット１００。カメラからの画像データを転送制御するためのカメラインターフェイス１１０。カメラからの画像データを読み取り速度に対応するためのトグルバッファメモリ＃１である１２０、同じくトグルバッファメモリ＃２である１３０。読み取ったカメラ画像データから前もって指定された文字認識フィールドを特定抽出して画像データを大幅に低減するためのフィールドバッファメモリ１４０。カメラ画像データから用紙蛇行量であるＸＹオフセット移動量をトグルバッファメモリに指定するためのパラメータ、フィールドバッファメモリおよびホワイトバランスコントローラに動作パラメータを転送するためのパラメータインターフェイス１５０。カメラのレンズ収差および読み取り光源等の平滑化を行うためのホワイトバランスコントローラ１６０。フィールドバッファメモリから転送された画像データから文字認識��コードして通常文字コードに変換するための文字認識エンジン１７０。ディストリビュータへのパラメータ転送管理および文字認識エンジンに対する認識デコードする際の閾値データ、文字認識エンジンからの文字認識結果コードログデータ等を管理するためのサーバーＰＣ１８０。ディストリビュータ、文字認識エンジンおよびサーバーＰＣ等のデータを授受するための通信手段であるイーサーネットあるいは並列処理方式インターフェイス１９０を有する。【００１４】  次に図３はカメラ画像データから特定指定された文字認識フィールドを抽出するためのディストリビュータの基本原理図である。ラインセンサまたはエリアセンサカメラ２００。カメラでスキャンされ読み取った画像データ２１０。カメラ画像データの各々のフィールド指定されたメモリ内の位置であるポインタと呼ぶメモリアドレスを表す２２０。２２０からフィールド指定された位置情報とサイズを数値で表す２３０。２３０で指定された文字認識するフィールドを並び替えて大幅にメモリを低減することを表す２４０。２４０から抽出された文字認識フィールドのメモリサイズを表す２５０を有する。通常の印刷装置あるいは高速のレーザープリンタ、インクジェットプリンタの印刷可能範囲はページあたり横１７インチ、縦１７インチが最大とされている。カメラの読み取り分解能を縦、横ともに２４０ｄｐｉとして、またカメラの読み取り出力を多値データである１ドットあたり８ビット（１バイト）とすれば、スキャン方向（横）１７インチを読み取るにはカメラのドット数として４０９６ドット必要でありメモリサイズではラインあたり４０９６バイトに相当する。また用紙搬送方向（縦）は１７インチを読み取るとすれば４０８０ラインに相当する。１７インチ×１７インチのメモリ面積サイズはページあたり約１６メガバイトに相当する。このメモリサイズを通常のＲＡＭと呼ばれるメモリとして読み書きすればバイトあたり平均で５０ｎｓとして１６メガバイトであればページあたり約８００ｍｓ必要になる。用紙搬送速度を３００ｍ／分（５ｍ／秒）とすれば１７インチ用紙搬送縦方向の通過時間は８６４ｍｓとなりほぼカメラからの画像データを書き込むのが限界であることがわかる。用紙は順次搬送されるので次の１７インチの読み取りが開始されるため最低２ページ分のメモリがないと次のカメラ画像データが上書きされるので図２のトグルバッファメモリ＃１である１２０、＃２である１３０は必要となる。つまり片方のメモリが書き込み中であれば、もう片方のメモリは読み出しに使用し順次搬送されるページ単位のカメラ画像データの取りこぼしを防止する必要がある。図３を例としてカメラスキャンとメモリとの関係を示す２１０および文字認識デコードする２つのフィールドを示す２２０をページ単位メモリの１６メガバイトのトグルバッファメモリとすれば、その中のフィールド位置およびサイズを示す２３０をページ単位メモリ２２０から抽出して並び替えたフィールドバッファメモリ２４０。この例では２つのフィールドの実質メモリサイズは横９５４ドット、つまり９５４バイトであり縦５７２ラインであるからメモリサイズ２５０としては約０．５４メガバイトに相当し本来の１６メガバイトの１／３０に���減されたことになる。つまりカメラ画像データであるページ単位メモリの中から文字認識すべきフィールドを探すのではなく、特定指定された文字認識フィールドのみをページ単位メモリから並び替えてメモリサイズを低減することにより、文字認識デコードする処理時間を大幅に低減できることになり文字認識処理の高速化を実現できることになる。およびページ単位でのカメラ画像データからカメラインターフェイス１１０にて印刷基準マークの位置を読み取り、本来所定の印刷基準位置からの上下左右の変動量を算出し、トグルバッファメモリ＃１である１２０、同じく＃２である１３０へカメラ画像データを転送する際にその算出された変動量であるＸＹオフセット量を移動させた画像データとして転送することにより用紙蛇行があり本来の位置からずれた画像データを本来所定の位置へ戻すことで読み取り位置精度が保証され文字認識する際の認識精度を格段に向上できることになる。【００１５】  次に図４はプリンタ装置が印刷するページ単位の帳票の違いを示す、及びページ単位の帳票の中にある白部分を特定して汚れを検出することを示す３００および３１０。例として３００が電話料金の請求書、３１０が電気料金の請求書を示している。プリンタ装置の印刷順序ならびに印刷方向を示す３２０。通常プリンタ装置はロール紙またはミシン目のあるファンフォルド紙を用いて連長紙で印刷する場合が多く、ページ単位として印刷キューマークが印刷されている。すなわち図４の電話料金請求書３００、電気料金請求書３１０が１ページとすればキューマーク単位で同じ絵柄フォーマットに異なるデータまたは同じデータを印刷する状態を示している。前記各々の帳票には通常会社のマークなど固有の印刷絵柄を前もって印刷する場合が多く、または近年増加しているオンデマンド印刷の様に何も印刷されていない白用紙に印刷絵柄と可変または固定情報を印刷する場合が多く、その場合は前もって固有の印刷絵柄の会社マークなどをカメラで読み取りコード化し登録する。用紙を間違ってセットした場合は、そのセットされた用紙のページ単位の固有印刷絵柄である会社マークをカメラで読み取ることにより、前もって登録した会社マークとは異なるのでオペレータにライトを点滅する、ブザーを鳴動することにより間違いであることを知らせて用紙の無駄を最小限に抑えることができる。また印刷データを間違ってセットし印刷した場合はページ単位印刷後に本来印刷すべき印刷データと読み取ったデータとを比較照合して良否判定を行うので、本来印刷すべき位置である読み取りフィールドに文字がない、あるいは文字指定であるにも係わらずバーコードがあるなどの指定フォーマットと異なるなどが発生し、連続で読み取りエラーが発生する、この場合も前記同様にライト、ブザーにてオペレータに知らせれば同様に用紙の無駄を省くことができる。また通常の前記帳票には印刷も印刷絵柄もない白部分が存在する。その白部分を複数箇所のエリアを指定、ならびに汚れサイズも指定することによって白部分の汚れを検出することができる。【００１６】  次に図５はプリンタ印刷照合検査装置の全体構成図である。ラインセンサカメラまたはエリアセンサカメラ４００。カメラ画像データから指定された文字認識フィールドのみを抽出してメモリを大幅に低減するためのディストリビュータ４１０。印刷速度に対応してページ単位で検査するための複数の文字認識エンジンである４２０および４３０。文字認識フィールドの指定、認識デコードする際の閾値パラメータ、文字認識エンジンからのページ単位の読み取りログデータ制御、前もって、またはページ単位印刷後の本来印刷すべき印刷文字コードの格納などを統括制御するサーバーＰＣ４４０。プリンタ装置を制御、また本来印刷すべき印刷データを管理するプリンタ管理ホスト４５０。各々の装置間のログデータ、パラメータデータの授受をつかさどるイーサーネット通信手段あるいは並列処理方式インターフェイス４６０を有する。
【実施例】
【００１７】  前述した本発明の実施の形態のプリンタ印刷照合検査装置の実施例を説明する。検査前に図５のカメラ４００から読み取った印刷に使用する印刷絵柄を、例として図４の電話料金請求書３００、電気料金等払込取扱票３１０とすれば、その各々の会社の特徴を示す会社マーク部分を図５の文字認識エンジン＃１である４２０、文字認識エンジン＃２である４３０の各々のメモリに登録格納しておく。その登録された印刷絵柄の中の用紙の特徴を示す会社マークなどは帳票フォーマットとして番号または名前をつけて図５のサーバーＰＣ４４０のハードディスクに各々の文字認識エンジンと接続されているイーサーネットなどの通信手段を介して転送管理格納しておく。当然ながら帳票フォーマットは使用する用紙種類分を登録格納できるものとする。ここで図５のサーバーＰＣ４４０に格納登録された帳票フォーマットをハードディスクから呼び出し、図４の電話料金請求書３００または電気料金等払込取扱票３１０の印刷フォーマットに対して文字認識すべき読み取りフィールドと汚れを検出するための汚れ検査エリアと汚れ検出サイズおよび文字認識デコードする際の閾値データを指定する。汚れ検査エリアは文字認識フィールド以外の周辺の白い部分を特定し複数指定できることとする。図５のサーバーＰＣ４４０で上記指定した文字認識フィールドと汚れ検査エリアのデータおよび文字認識デコード閾値データを帳票フォーマットファイルデータとして同じ図５のサーバーＰＣ４４０のハードディスクに登録格納しておき、同時にオペレータは使用する用紙種類を選択しイーサーネットなどの通信手段を介して図５のサーバーＰＣ４４０に接続されている各々の文字認識エンジン＃１および＃２である４２０、４３０に転送する。転送されたデータは会社マークなどの帳票種類の識別、文字認識および汚れ検査するための帳票フォーマットとして各々の文字認識エンジン内に装備されたメモリに登録格納される。会社マークなどの帳票識別フィールド、文字認識フィールドおよび汚れ検査フィールドで特定指定されたアドレスは図３のアドレスポインタ２３０として図５のディストリビュータ４１０に転送格納される。同時に認識率あるいは認識強度である閾値パラメータおよび汚れ検査パラメータは図５の文字認識エンジン＃１、＃２である４２０、４３０に転送格納される。ここでオペレータは印刷を開始するためにプリンタ装置に用紙をセットする、同時に検査装置を使用可能状態にする。同時に図５のプリンタ管理ホストから前もって、またはページ単位印刷後に印刷すべきページ単位の文字コードを図５のサーバーＰＣ４４０あるいは文字認識エンジン＃１である４２０、文字認識エンジン＃２である４３０に転送格納しておく。用紙が搬送されて図４の印刷状態を示す３２０のように１ページ目の印刷キューマークをプリンタ装置に装備したセンサで読み取り入力されると、カメラの読み取りが開始され、その画像データが順次転送されて図２のカメラ１００からカメラインターフェイス１１０を介してトグルバッファメモリ＃１、＃２である１２０、１３０にページ単位で入力する際に、用紙蛇行量であるＸＹオフセット量を加味した所定の位置へ変更されたカメラ画像データを転送する。前記���グルバッファメモリから交互に転送されたカメラ画像データから、既に図５のサーバーＰＣ４４０で設定され、図２のパラメータインターフェイス１５０を介して転送された用紙の特徴を示す会社マーク識別フィールド、文字認識フィールドおよび汚れを検出する汚れ検査フィールドから特定位置のみを抽出してフィールドバッファメモリ１４０へ転送格納される。転送されたページ単位の各々のメモリ量が低減されたフィールドバッファメモリ１４０からページ単位で図５の文字認識エンジンである４２０、４３０へ順次転送され、この文字認識エンジンで会社マークなどの帳票の一致性検査、前もって、あるいはページ単位印刷後に取得した印刷すべき文字コードと文字認識フィールドで指定されたカメラ画像データから文字認識デコードされ通常コードに変換された文字コードとの一致性検査および指定された汚れ検査フィールド内の汚れ検査をページ単位で順次行うとともに不一致、また一致に関わらず各々の文字認識エンジンからページ単位の読み取り検査結果であるログデータをイーサーネットなどの通信手段を介してサーバーＰＣへ転送し印刷完了までの検査結果ログデータとしてサーバーＰＣのハードディスクに格納する。【００１８】  次に前記帳票フォーマットである会社マークなどの帳票の不一致あるいは前もって、またはページ単位印刷後に取得した印刷すべき文字コードとカメラからの画像データへの読み取りフィールド指定され認識デコードされた通常の文字コードとの不一致あるいは読み取り不能である？コードによる不一致、汚れ検査フィールド内の指定されたサイズ以上の汚れ検出があった場合にはライトを点灯、ブザーの鳴動によりオペレータに知らせて用紙の無駄を最小限に抑えることができる。通常の印刷では連長紙が使用される場合が多いので検査開始からの１ページあるいは２ページ程度の会社マークなどの絵柄フォーマットの一致性を検査する帳票フォーマット一致性検査でも良いことは言うまでもない。但し、用紙がカット紙の場合はオペレータが間違って束の中に異なる帳票をセットすることも考えられるのでサーバーＰＣのパラメータ設定に全数かセットされた枚数かを指定できることとする。
【産業上の利用可能性】
【００１９】  本発明のプリンタ印刷照合検査装置によれば、ページ単位の印刷物について印刷結果の精細な検査が可能となり、また不良印刷物をほぼ完全に特定、除去でき、用紙のセット違いおよび印刷データのセットミスなどの人間による操作ミスを未然に防止して正確で高品質な印刷が高速に行える信頼性の高い印刷物を提供できる。
【図面の簡単な説明】
【００２０】
【図１】  本発明の実施の形態のプリンタ印刷照合検査装置においてカメラからの画像データから１次元バーコード、通常文字、２次元バーコード、図形等を文字認識デコードにより変換された文字コードとプリンタ装置から前もって、またはページ単位印刷後に取得した文字コードとを比較照合して文字コードの良否を判定する文字認識エンジンの基本原理図である。
【図２】  カメラからの画像データをページ単位でトグルバッファメモリに書き込む際に用紙蛇行による文字認識すべき読み取りフィールドの位置合わせを行うＸＹオフセット、およびトグルバッファメモリから読み取りフィールドを特定してメモリを低減するためのディストリビュータの基本原理図である。
【図３】  前記ディストリビュータのＸＹオフセットおよびメモリを低減するための基本動作原理図である。
【図４】  プリンタ装置が印刷する帳票の種類および帳票の違いを示す、および印刷方向を示すための図である。
【図５】  本発明のプリンタ印刷照合検査装置の全体構成を示す図である。
【符号の説明】
【００２１】１０・・・高分解能カメラ、１５・・・ディストリビュータ、２０・・・文字認識デコーダ、３０・・・文字コード比較照合良否判定メモリ、４０・・・文字認識デコード判定閾値メモリ、５０・・・文字コード比較照合結果ログデータ管理サーバーＰＣ、６０・・・印刷文字コード記憶制御装置、７０・・・プリンタ装置、８０・・・不良ページ除去装置、９０・・・検査結果ログデータ転送装置、１００・・・高分解能カメラ、１１０・・・カメラインターフェイス、１２０・・・トグルバッファメモリ＃１、１３０・・・トグルバッファメモリ＃２、１４０・・・フィールドバッファメモリ、１５０・・・パラメータインターフェイス、１６０・・・ホワイトバランスコントローラ、１７０・・・文字認識エンジン、１８０・・・サーバーＰＣ、１９０・・・イーサーネットなどの通信手段、２００・・・高分解能カメラ、２１０・・・カメラ画像データトグルバッファメモリ書き込み状態図、２２０・・・トグルバッファメモリＸＹオフセットおよび読み取りフィールド状態図、２３０・・・トグルバッファメモリ読み取りフィールド位置数値化状態図、２４０・・・フィールドバッファメモリ量低減状態図、２５０・・・フィールドバッファメモリ量低減数値化状態図、３００・・・帳票フォーマット参考図、３１０・・・帳票フォーマット参考図、３２０・・・プリンタ装置印刷方向状態図、４００・・・高分解能カメラ、４１０・・・ディストリビュータ、４２０・・・文字認識エンジン＃１、４３０・・・文字認識エンジン＃２、４４０・・・サーバーＰＣ、４５０・・・プリンタ管理ホスト、４６０・・・イーサーネットなどの通信手段。
【図１】
2006079571.tif 000003
【図２】
2006079571.tif 000004
【図３】
2006079571.tif 000005
【図４】
2006079571.tif 000006
【図５】
2006079571.tif 000007